(57)【要約】　　　（修正有）【課題】存在感あるジュエリーに対して各種のビーズ等を取付け易くする枠線と、爪片と、貫通孔を設けた小片とからなる金属取付枠を固定することによって、ビーズを取り付けた後には取り付けられた各種ビーズによって金属製取付体をほとんど目立たなくし、ジュエリー本体の美しさを際立たされるビーズジュエリー用宝飾品の作成を容易にするビーズジュエリー用宝飾品を提供する。【解決手段】ジュエリー１の下部に嵌合するための金属取付枠２と、前記金属取付枠に固着保持されると共に等間隔に配置された適数個の爪片３と、前記爪片の基部においてワイヤー、テグス等の細線を水平方向に貫通させる貫通孔５を設けた小孔片６とからなり、前記爪片の上端部をジュエリー角部に係止するようにしたことを特徴とするビーズジュエリー用宝飾品。【選択図】　　　図１
0003097815.tif 000002
【実用新案登録請求の範囲】
【請求項１】
宝石又は模造宝石の下部に、ワイヤー、テグス等の細線を水平方向に貫通させる貫通孔をほぼ等間隔に設けた取付枠を固着したことを特徴とするビーズジュエリー用宝飾。
【請求項２】
宝石又は模造宝石のようなジュエリーの下部に嵌合するための金属取付枠と、前記金属取付枠に固着保持されると共に等間隔に配置された適数個の爪片と、前記爪片の基部においてワイヤー、テグス等の細線を水平方向に貫通させる貫通孔を設けた小孔片とからなり、前記爪片の上端部をジュエリー角部に係止するようにしたことを特徴とするビーズジュエリー用宝飾品。
【請求項３】
金属取付枠及び爪片は純銀線材である請求項２記載のビーズジュエリー用宝飾品。
【請求項４】
ジュエリーはダイヤモンド、エメラルド、ルビー、サファイア等の天然宝石又はキュービックジルコニヤである請求項１又は請求項２記載のビーズジュエリー用宝飾品。
【請求項５】
爪片の基部においてワイヤー、テグス等の細線を水平方向に貫通させるための貫通孔を設けた小片は縦方向に形成した極小輪環体である請求項１、請求項２又は請求項３記載のビーズジュエリー用宝飾品。
【考案の詳細な説明】
【０００１】
【考案の属する技術分野】
この考案は、ビーズジュエリー又はビーズアクセサリーとしての指輪、ネックレス、ブレスレット、ブローチ等の中心部分に使用するビーズジュエリー用宝飾品に関する。
【０００２】
【従来の技術】
存在感ある宝石又は模造宝石のようなジュエリーに保持枠を設け、ビーズジュエリー用のワイヤー、テグス等の細線を通しやすいような極小輪環体を縦方向に固定したものは特許文献、非特許文献何れにも存在しない。
（例えばば特許文献１）
【０００３】
【特許文献１】
公開実用新案公報、実開平７−４３６４７号
【０００４】
【考案の解決しようとする課題】
そこで、この考案の目的とするところは、存在感ある宝石又は模造宝石のようなジュエリーに対して各種のビーズ等を取付け易くする枠線と、爪片と、貫通孔を設けた小片とからなる金属製取付枠をジュエリーに固定することによって、細線を貫通してなるビーズを編み込んだ後には、取り付けられた各種ビーズによって金属製取付枠をほとんど目立たなくしてジュエリー本体の美しさを際立たせるビーズジュエリー用宝飾品を提供するものである。
【０００５】
【課題を解決するための手段】
本考案は、上記の問題点に鑑み、宝石又は模造宝石の下部に、テグス等の細線を水平方向に貫通させる貫通孔をほぼ等間隔に設けた取付枠を固着してある。
【０００６】
更に、ジュエリーの下部に嵌合した金属取付枠と、前記金属取付枠に固着保持されると共に等間隔に配置された適数個の爪片と、前記爪片の上端部を前記ジュエリー角部に係止するようにし、前記爪片の基部においてテグス等の細線を水平方向に貫通させる貫通孔を設けた小片を固定したものである。
【０００７】
また、ビーズジュエリー用宝飾品の美しさと保持性を達成させるべく、金属取付枠及び爪片は純銀線材としてある。
【０００８】
美しさを実現するために、ジュエリーはダイヤモンド、エメラルド、ルビー、サファイア等の天然宝石又はキュービックジルコニヤとするものである。
【０００９】
そして、更に、爪片の基部においてワイヤー、テグス等の細線を水平方向に貫通させるための貫通孔を設けた小孔片は縦方向に形成した極小輪環体としてある。
【００１０】
【考案の実施の形態】
【実施例１】
細線によって作成者の好みの各種のビーズ編み込んで自分だけの手作りのアクセサリーを作成することがブームとなっているが、このような手作りのアクセサリーをビーズアクセサリー又はビーズジュエリー（以下、ビーズジュエリーという）称される。　本考案は、これらのビーズジュエリーをより豪華に、より可憐にするべく、中心位置にジュエリー１を配置し、これを装飾するべく各種ビーズを編み込ミ易いよに以下の実施例のようにしたものである。
本考案は、ジュエリー１の下部に嵌合するための金属取付枠２と、前記金属取付枠２に固着保持されると共に等間隔に配置された適数個の爪片３と、前記爪片３の基部においてテグス等の細線等の細線４を水平方向に貫通させる貫通孔５を設けた小孔片６とからなる金属枠体Ａによってをジュエリー１を保持する。ここで使用するジュエリー１はダイヤモンド、エメラルド、ルビー、サファイア等の天然宝石又はキュービックジルコニヤ、その他の模造宝石である。
【００１１】
小孔片６は、図１〜図２及び図３の（イ）に示したように水平状に形成した金属取付枠２に対して縦方向の小孔片６に形成してある。図３の（ロ）に示したように細孔７を設けた小球体８としてもよい。
なお、前記の小孔片６に設けられた細孔７は編み込みビーズ素材ビーズ９を挿通したワイヤー、テグス等の細線４を通すためのものである。
【００１２】
金属枠体Ａの材質は、これ自体が装飾片であることから純銀細線が最適であるが、もちろん他の金属細線であっても使用することができる。
【００１３】
金属取付枠２によってジュエリー１の下部を確実に保持するために、金属取付枠２のほぼ等間隔固着保持された適数個の爪片３の先端部をジュエリー１の上方部の角部に爪止めすることによって金属取付枠２を強固に保持されてビーズジュエリー用宝飾品Ｂとなる。
【００１４】
なお、ジュエリー１と、その下部に固定される金属枠体Ａはエポキシ系等の接着剤にても強固に固定することもできる。
【００１５】
かくして、このようにしてなるビーズジュエリー用宝飾品Ｂを中心に各種の１８面カットのガラス玉ビーズ、パールビーズ、スリーカットビーズ、ガラス製のとんぼ玉等の編み込みビーズ素材９を等をテグス等の細線を利用して編み込むのである。このような上記編み込みビーズ素材９はいずれもその中心部にはテグス等の細線を挿通するための細孔が形成されているので、ワイヤー、テグス等の細線４に前記編み込みビーズ素材の大きさと色彩、形状及び種類等を適宜に選択しながら、ジュエリー１を中心に順次に編み込んでいく。編み込み方法によって、指輪、ネックレス、ブレスレット、ブローチ等の作品を各自に自由にデザインしていくことができる。
【００１６】
【考案の効果】
請求項１のビーズジュエリー用宝飾品では、宝石又は模造宝石の下部に、テグス等の細線を水平方向に貫通させる適数個の貫通孔をほぼ等間隔に設けた取付枠を固着してあるので、指輪、ネックレス、ブレスレット、ブローチ等を仕上げるための編み込みが極めて容易となる。
請求項２のビーズジュエリー用宝飾品では、ジュエリーの下部に嵌合するための金属取付枠と、前記金属取付枠に固着保持された等間隔に配置された適数個の爪片と、前記爪片の基部においてワイヤー、テグス等の細線を水平方向に貫通させる貫通孔を設けた小孔片とからなり、前記爪片の上端部をジュエリー角部に係止するようにしたので、金属取付枠及び小孔片がビーズを編んだときにビーズに隠れ見えなくなると共に、等間隔に配置された適数個の爪片及び貫通孔を設けた小孔片は、ほぼ等間隔に配置されているのでジュエリーの下部を安定的に保持すると共に、編み込むも極めて簡単におこない得る。しかも、編み込んだ後には、各種のビーズによって金属枠体Ａはほぼ完全に隠蔽され、美しい仕上がりとなる。請求項３のビーズジュエリー用宝飾品では、金属取付枠及び爪片は純銀線材としてあるので、ビーズジュエリー用宝飾品それ自体としても典雅さを失わない。
請求項４のビーズジュエリー用宝飾品では、ジュエリーはダイヤモンド、エメラルド、ルビー、サファイア等の天然宝石又はキュービックジルコニヤであるから、大きさと色彩、と形状の各種のビーズを選択しながら最もジュエリーの映えるデザインを考えることの面白さを満喫することができる。
請求項５のビーズジュエリー用宝飾品では、爪片の基部においてワイヤー、テグス等の細線を水平方向に貫通させるための貫通孔を設けた小片は縦方向に形成した極小輪環体としてあるので、ビーズを取り付けたときのバランスがよくなりビーズジュエリーの外観を豪華に仕上げることができる。
【図面の簡単な説明】
【図１】ブリリアンカットのキュービックジルコニアの下部に保持用金属枠体を取付けた状態を示すビーズジュエリー用宝飾品の側面図
【図２】ビーズジュエリー用宝飾品の平面図
【図３】（イ）（ロ）は、金属取付枠に固着保持された爪片と貫通孔を設けた小孔片とを示す金属取付枠の一部斜視図
【図４】本考案を使用して編み込んだビーズジュエリーの一例を示す一部平面図
【符号の説明】
１．．．ジュエリー
２．．．金属取付枠
３．．．適数個の爪片
４．．．ワイヤー、テグス等の細線
５．．．貫通孔
６．．．小孔片
７．．．細孔
８．．．小球体
９．．．編み込みビーズ素材
Ａ．．．金属枠体
Ｂ．．．ビーズジュエリー用宝飾品
【図１】
0003097815.tif 000003
【図２】
0003097815.tif 000004
【図３】
0003097815.tif 000005
【図４】
0003097815.tif 000006